(57)【特許請求の範囲】
【請求項１】
外周部が機器ケースの一端側の開口の内周面部に沿うように枠状に形成された枠状部とこの枠状部の一端部から外部方向に延出されたリード部とを有するフレキシブル基板と、
前記枠状部に環状となるように配線され、外部通信機器との間で情報の送受信を行うためのアンテナと、
前記枠状部のうちの前記リード部の近傍位置に配設され、前記アンテナと電気的に接続された集積回路と、
前記リード部の先端側に設けられ、前記集積回路と前記機器ケース内に備えられた回路基板とを電気的に接続するための接続端子とを備え、
前記リード部は、前記機器ケースの内部において、前記開口に取り付けられた光透過性部材と前記回路基板との間に配置されたハウジング部材と、このハウジング部材の上面に配置された文字板と、この文字板と前記光透過性部材との間に配置された枠状部材の各側面の形状に沿うように折り曲げ形成された折曲部を備えていることを特徴とする無線モジュール。
【請求項２】
前記延出部のうち、前記集積回路の近傍位置に同調用のコンデンサーが設けられていることを特徴とする請求項１に記載の無線モジュール。
【請求項３】
前記折曲部は、直角に折り曲げ形成された第一折曲部とこの第一折曲部から予め離れた位置において直角に折り曲げ形成された第二折曲部とが設けられていることを特徴とする請求項１又は２に記載の無線モジュール。
【請求項４】
一端が開口してなる機器ケース、この機器ケースの開口に取り付けられた光透過性部材、この光透過性部材に対向して前記機器ケース内に配置されたハウジング部材と、このハウジング部材の上面に配置された文字板、前記ハウジング部材内に配置され、各種情報を表示する表示部、この表示部を挟んで前記開口とは反対側の位置に配置された回路基板、前記文字板と前記光透過性部材との間に配置された枠状部材、および、前記機器ケースの内部に配置された無線モジュールを備えている電子機器において、
前記無線モジュールは、
外周部が前記開口の内周面部に沿うように枠状に形成された枠状部とこの枠状部の一端部から外部方向に延出されたリード部とを有するフレキシブル基板と、
前記枠状部に環状となるように配線され、外部通信機器との間で情報の送受信を行うためのアンテナと、
前記枠状部のうちの前記リード部の近傍位置に配設され、前記アンテナと電気的に接続された集積回路と、
前記リード部の先端側に設けられ、前記集積回路と前記機器ケース内に備えられた回路基板とを電気的に接続するための接続端子とを備え、
前記リード部は、前記機器ケースの内部において、前記ハウジング部材、前記文字板、前記枠状部材の各側面の形状に沿うように折曲部が配置されていることを特徴とする電子機器。
【請求項５】
前記延出部のうち、前記集積回路の近傍位置に同調用のコンデンサーが設けられていることを特徴とする請求項４に記載の電子機器。
【請求項６】
前記折曲部は、直角に折り曲げ形成された第一折曲部とこの第一折曲部から予め離れた位置において直角に折り曲げ形成された第二折曲部とが設けられていることを特徴とする請求項４又は５に記載の電子機器。
【発明の詳細な説明】
【技術分野】
【０００１】
本発明は、外部通信機器との間で情報の送受信を行う無線モジュール及びこれを備えた電子機器に関する。
【背景技術】
【０００２】
近年、リーダ／ライタを直接的に通さずに電磁誘導波により非接触型の無線モジュールからデータを読み取り又は書き込みできるシステムとしてデータキャリアシステム（若しくは、Radio Frequency Identificationシステム＝ＲＦ−ＩＤシステム（ISO／IEC １４４４３）、以下ＲＦ−ＩＤシステムと称す。）が提案されている。
そして、上記の無線モジュールを腕時計に備えたものも開発されており、この腕時計にあっては、ＲＦ−ＩＤシステムに備わる通信機器との情報の通信距離を十分に確保する上で、例えば、時計ケース上部の外周部に沿って円環状にアンテナを延在させるように無線モジュールが配設されている（例えば、特許文献１参照。）。
【特許文献１】特開２００１−６００７号公報
【発明の開示】
【発明が解決しようとする課題】
【０００３】
しかしながら、上記特許文献１等のように、時計ケースの外側に無線モジュールを配設すると、時計ケース内の回路基板との接続を容易に行うことができない。また、リーダ／ライタとの間にて送受信される各種情報を記憶するＩＣチップを無線モジュールから簡単に取り出すことができるため、当該ＩＣチップに記憶されている情報が第三者によって不正に取得されてしまう虞がある。
一方、無線モジュールを時計ケースの内側に配設した場合には、無線電波の感度が低下するため、ＲＦ−ＩＤシステムに備わる通信機器との情報の通信距離を十分に確保することが難しいという問題がある。
【０００４】
そこで、本発明の課題は、外部通信機器との間における良好な通信を確保することができるとともに回路基板との接続を容易に行うことができ、さらに、集積回路に記憶されている情報の第三者による不正取得を防止することができる無線モジュール及びこれを備えた電子機器を提供することである。
【課題を解決するための手段】
【０００５】
請求項１に記載の発明の無線モジュール（１）は、例えば、図１〜図４に示すように、
外周部が機器ケース（５）の一端側の開口（５４）の内周面部に沿うように枠状に形成された枠状部（１４）とこの枠状部の一端部から外部方向に延出されたリード部（１５）とを有するフレキシブル基板（１６）と、
前記枠状部に環状となるように配線され、外部通信機器（例えば、ゲート装置２００）との間で情報の送受信を行うためのアンテナ（１１）と、
前記枠状部のうちの前記リード部の近傍位置に配設され、前記アンテナと電気的に接続された集積回路（例えば、ＩＣチップ１３）と、
前記リード部の先端側に設けられ、前記集積回路と前記機器ケース（５）内に備えられた回路基板（３）とを電気的に接続するための接続端子（１７）とを備え、
前記リード部は、前記機器ケースの内部において、前記開口（５４）に取り付けられた光透過性部材と前記回路基板との間に配置されたハウジング部材（４３）と、このハウジング部材の上面に配置された文字板（４５）と、この文字板と前記光透過性部材との間に配置された枠状部材（４６）の各側面の形状に沿うように折り曲げ形成された折曲部（例えば、第一折曲部１５１、第二折曲部１５２）を備えていることを特徴とする。
【０００６】
請求項２に記載の発明は、図１、図３及び図４に示すように、請求項１に記載の無線モジュールにおいて、
前記延出部のうち、前記集積回路の近傍位置に同調用のコンデンサー（１２）が設けられていることを特徴とする。
【０００７】
請求項３に記載の発明は、図４等に示すように、請求項１又は２に記載の無線モジュールにおいて、
前記折曲部は、直角に折り曲げ形成された第一折曲部（１５１）とこの第一折曲部（１５１）から予め離れた位置において直角に折り曲げ形成された第二折曲部（１５２）とが設けられていることを特徴とする。
【０００８】
請求項４に記載の発明の電子機器（例えば、腕時計１００）は、例えば、図１〜図４に示すように、
一端が開口してなる機器ケース（５）、この機器ケースの開口（５４）に取り付けられた光透過性部材（例えば、時計ガラス６）、この光透過性部材に対向して前記機器ケース内に配置されたハウジング部材（４３）と、このハウジング部材の上面に配置された文字板（４５）、前記ハウジング部材内に配置され、各種情報を表示する表示部（例えば、液晶表示部４２）、この表示部を挟んで前記開口とは反対側の位置に配置された回路基板（３）、前記文字板と前記光透過性部材との間に配置された枠状部材（４６）、および、前記機器ケースの内部に配置された無線モジュール（１）を備えている電子機器において、
前記無線モジュールは、
外周部が前記開口（５４）の内周面部に沿うように枠状に形成された枠状部（１４）とこの枠状部の一端部から外部方向に延出されたリード部（１５）とを有するフレキシブル基板（１６）と、
前記枠状部に環状となるように配線され、外部通信機器（例えば、ゲート装置２００）との間で情報の送受信を行うためのアンテナ（１１）と、
前記枠状部のうちの前記リード部の近傍位置に配設され、前記アンテナと電気的に接続された集積回路（例えば、ＩＣチップ１３）と、
前記リード部の先端側に設けられ、前記集積回路と前記機器ケース（５）内に備えられた回路基板（３）とを電気的に接続するための接続端子（１７）とを備え、
前記リード部は、前記機器ケースの内部において、前記ハウジング部材（４３）、前記文字板（４５）、前記枠状部材（４６）の各側面の形状に沿うように折曲部（例えば、第一折曲部１５１、第二折曲部１５２）が配置されていることを特徴とする電子機器。
【０００９】
請求項５に記載の発明の電子機器（例えば、腕時計１００）は、例えば、図１〜図４に示すように、請求項４に記載の電子機器において、
前記延出部のうち、前記集積回路の近傍位置に同調用のコンデンサー（１２）が設けられていることを特徴とする。
【００１０】
請求項６に記載の発明の電子機器（例えば、腕時計１００）は、例えば、図１〜図４に示すように、請求項４又は５に記載の電子機器において、
前記折曲部は、直角に折り曲げ形成された第一折曲部（１５１）とこの第一折曲部（１５１）から予め離れた位置において直角に折り曲げ形成された第二折曲部（１５２）とが設けられていることを特徴とする。
【発明の効果】
【００１３】
請求項１に記載の発明によれば、外周部が機器ケースの一端側の開口の内周面部に沿うように枠状に形成された枠状部とこの枠状部の一端部から外部方向に延出されたリード部とを有するフレキシブル基板を備えているので、アンテナが配線された枠状部を機器ケースの内部に配置した際に、より外面に近い場所に邪魔にならない位置に配設することができる。
また、請求項１に記載の発明によれば、アンテナと電気的に接続された集積回路が枠状部のうちのリード部の近傍位置に配設されているので、集積回路が配設された枠状部を機器ケースの内部に配置した際に、光透過性部材の下側に位置することとなり、機器ケースに対する光透過性部材の取り付けは一般に接着剤などで強固に取り付けられていることから、集積回路の取り出しも困難となり、当該集積回路に記憶されている情報の第三者による不正取得を防止することができる。
また、請求項１に記載の発明によれば、集積回路と機器ケース内に備えられた回路基板とを電気的に接続するための接続端子がリード部の先端側に設けられているので、アンテナが配線されたフレキシブル基板を機器ケース内に配置した際に、アンテナから離した位置において、リード部の先端側に設けられた接続端子と機器ケースの内部に配設された回路基板との電気的接続を容易に行うことができる。
また、請求項１に記載の発明によれば、リード部は、機器ケースの内部において、ハウジング部材、文字板、枠状部材の各側面の形状に沿うように折曲部が配置されているので、機器ケースの内部においてコンパクトにリード部を配置することができる。
【００１４】
請求項２に記載の発明によれば、延出部のうち、集積回路の近傍位置に同調用のコンデンサーが設けられているので、集積回路と同調用のコンデンサーとを互いに近接して配設することができる。
【００１５】
請求項３に記載の発明によれば、折曲部は、直角に折り曲げ形成された第一折曲部とこの第一折曲部から予め離れた位置において直角に折り曲げ形成された第二折曲部とがなるので、機器ケースの内部でアンテナと回路基板とが離れて配置される場合であっても当該アンテナと回路基板との電気的接続をより容易に行うことができる。
【００１６】
請求項４に記載の発明によれば、外周部が機器ケースの一端側の開口の内周面部に沿うように枠状に形成された枠状部とこの枠状部の一端部から外部方向に延出されたリード部とを有するフレキシブル基板を備えているので、アンテナが配線された枠状部を機器ケースの内部に配置した際に、より外面に近い場所に邪魔にならない位置に配設することができる。
また、請求項４に記載の発明によれば、アンテナと電気的に接続された集積回路が枠状部のうちのリード部の近傍位置に配設されているので、集積回路が配設された枠状部を機器ケースの内部に配置した際に、光透過性部材の下側に位置することとなり、機器ケースに対する光透過性部材の取り付けは一般に接着剤などで強固に取り付けられていることから、集積回路の取り出しも困難となり、当該集積回路に記憶されている情報の第三者による不正取得を防止することができる。
また、請求項４に記載の発明によれば、集積回路と機器ケース内に備えられた回路基板とを電気的に接続するための接続端子がリード部の先端側に設けられているので、アンテナから離した位置において、リード部の先端側に設けられた接続端子と機器ケースの内部に配設された回路基板との電気的接続を容易に行うことができる。
また、請求項４に記載の発明によれば、リード部は、機器ケースの内部において、ハウジング部材、文字板、枠状部材の各側面の形状に沿うように折曲部が配置されているので、機器ケースの内部においてコンパクトにリード部を配置することができる。
【００１７】
請求項５に記載の発明によれば、延出部のうち、集積回路の近傍位置に同調用のコンデンサーが設けられているので、集積回路と同調用のコンデンサーとを互いに近接して配設することができる。
【００１８】
請求項６に記載の発明によれば、折曲部は、直角に折り曲げ形成された第一折曲部とこの第一折曲部から予め離れた位置において直角に折り曲げ形成された第二折曲部とがなるので、機器ケースの内部でアンテナと回路基板とが離れて配置される場合であっても当該アンテナと回路基板との電気的接続をより容易に行うことができる。
【発明を実施するための最良の形態】
【００２１】
以下に、本発明について、図面を用いて具体的な態様を説明する。ただし、発明の範囲は、図示例に限定されない。
【００２２】
［実施形態１］
図１は、本発明を適用した実施形態１の電子機器として例示する腕時計を示す平面図である。なお、図１、図５及び図８にあっては、無線モジュール１、３０１、４０１の枠状部１４、３１４、４１４を斜線を付して模式的に図示している。また、ベゼル７の当該腕時計１００、３００、４００における１２時方向側及び６時方向側の端部を一部分切り欠いたものを図示している。
【００２３】
図１に示す実施形態１の腕時計１００は、例えば、Radio Frequency Identificationシステム＝ＲＦ−ＩＤシステムが適用された自動改札システムを構成する無線モジュール１を備え、この無線モジュール１を介して外部通信機器としてのゲート装置２００（図２参照）との間で各種情報の送受信を行うように構成されている。
【００２４】
以下に、腕時計１００とゲート装置２００との間における情報通信について、図２を参照して説明する。
ここで、図２は、腕時計１００及びゲート装置２００の要部構成を示すブロック図である。
【００２５】
先ず、腕時計１００の情報通信に係る構成について説明する。
図２に示すように、腕時計１００は、時計部２と無線モジュール１とが電気的に接続されている。
【００２６】
時計部２は、例えば、回路基板３に実装されたデバイスから構成されるものであり、時計制御部２１と、所定周波数のクロック信号を生成して時計制御部２１に出力する発振器２２と、ユーザによるスイッチ５１の操作に基づいて操作信号を時計制御部２１に出力する入力部２３と、後述する液晶表示部４２に表示データを出力する表示出力部２４と、図示しないスピーカ等に対して音声信号を出力する報知出力部２５と、例えばＥＥＰＲＯＭ等から構成されたメモリ２６とを備えている。
【００２７】
無線モジュール１は、例えば電磁誘導方式や電磁結合方式のＲＦ−ＩＤシステムを構成するＲＦ−ＩＤトランスポンダ等であり、図２に示すように、アンテナ１１の両端部にコンデンサ１２が接続され、集積回路としてのＩＣチップ１３に、ＡＣ／ＤＣコンバータ１３ａ、クロック再生部１３ｂ、復調部１３ｃ、復号部１３ｄ、メモリ１３ｅ、符号化部１３ｆ、変調部１３ｇ、電源制御部１３ｈ、データキャリア制御部１３ｉが設けられている。
アンテナ１１に発生した交流電流（Alternate  Current）は、ＡＣ／ＤＣコンバータ１３ａで直流電流（Direct  Current）に整流され、電源制御部１３ｈを介してデータキャリア制御部１３ｉに与えられ、当該無線モジュール１を駆動する電力として利用される。また、データキャリア制御部１３ｉには、アンテナ１１に発生した交流電流に基づいて、クロック再生部１３ｂで再生されたクロック信号及び復調部１３ｃで復調され復号部１３ｄで復号されたデータが入力される。
データキャリア制御部１３ｉは、クロック信号に同期したタイミングで復号部１３ｄにて復号されたデータを読み取り、読み取ったデータを、例えば、メモリ１３ｅに記憶する。また、読み取ったデータ等に基づいて、メモリ１３ｅに記憶されているデータを符号化部１３ｆに供給する。符号化部１３ｆで符号化されたデータは変調部１３ｇで変調されて、アンテナ１１に送出されるように構成されている。
【００２８】
アンテナ１１は、ユーザのゲート通過の際にゲート装置２００に備わるリーダ／ライタ側アンテナ２０１と対向配置された際に、このリーダ／ライタ側アンテナ２０１との間に形成される誘導電磁界を利用して、ゲート装置２００のリーダ／ライタ２０２との間でユーザのゲート通過に係る各種情報を送受信するようになっている。
メモリ１３ｅは、例えば、ＥＥＰＲＯＭ等から構成されており、ユーザのゲート通過の際にアンテナ１１を介してリーダ／ライタ２０２に送信されるユーザの認識処理に係るデータや、リーダ／ライタ２０２から送信されアンテナ１１を介して受信された精算処理、通過日時や履歴等に係る各種のデータ等を記憶している。
【００２９】
次に、ゲート装置２００の構成について説明する。
ゲート装置２００は、ＲＦ−ＩＤシステムの構成要素であり、図２に示すように、無線モジュール１のアンテナ１１に対応するリーダ／ライタ側アンテナ２０１と、リーダ／ライタ側アンテナ２０１の接地されている端と反対側の端部に接続されているリーダ／ライタ２０２と、リーダ／ライタ２０２に接続されている制御装置／システム２０３と、制御装置／システム２０３に接続されているゲート開閉装置２０４とを備えている。
【００３０】
リーダ／ライタ２０２は、制御装置／システム２０３から出力された制御信号に所定の符号化処理や復調処理を施した後、この制御信号と、図示しない発振部から出力される所定周波数のクロック信号とに基づいて、リーダ／ライタ側アンテナ２０１を駆動するように構成されている。そして、リーダ／ライタ２０２は、リーダ／ライタ側アンテナ２０１を介して、無線モジュール１との間で送受信される各種情報の読み取り又は書き込みを行う。
リーダ／ライタ側アンテナ２０１は、ユーザのゲート通過の際に、対向配置された無線モジュール１のアンテナ１１との間にて、当該アンテナ１１との間に形成される誘導電磁界を利用して、ユーザのゲート通過に係る各種情報を送受信する。
制御装置／システム２０３は、リーダ／ライタ２０２と無線モジュール１との各種情報の送受信に基づいて、ゲート開閉装置２０４によるゲートの開閉を制御する。
【００３１】
以下に、腕時計１００を装着したユーザがゲートを通過する際に、ゲート装置２００と腕時計１００との間における情報通信について説明する。
ユーザが、ゲートを通過する際に、ゲート装置２００のリーダ／ライタ側アンテナ２０１に腕時計１００を近づけて、この腕時計１００の無線モジュール１のアンテナ１１とリーダ／ライタ側アンテナ２０１とが対向配置されると、リーダ／ライタ側アンテナ２０１とアンテナ１１との間に誘導電磁界が形成される。
すると、誘導電磁界を利用して、ゲート装置２００と無線モジュール１との間で、ユーザのゲート通過に係る各種情報、具体的には、例えばユーザの認証処理や精算処理等に係るデータが送受信される。なお、受信された各種データは、時計部２に対して出力されメモリ２６に格納されるようになっている。
【００３２】
次に、腕時計１００の要部構成について図１及び図３を参照して説明する。
ここで、図３は、図１のIII−III線における要部の拡大断面図である。
【００３３】
図１及び図３に示すように、腕時計１００には、時計計時部４を内部に収納する機器ケースとしての時計ケース５が備えられ、この時計ケース５の時計計時部４を挟んだ両端部、即ち、時計ケース５の当該腕時計１００における１２時方向側及び６時方向側のそれぞれの端部には、当該時計ケース５を手首に装着するためのバンド部材Ｂがバンド軸Ｂ１（図３においては、６時方向側の端部のバンド軸Ｂ１のみを図示する。）を介して取り付けられている。
【００３４】
時計ケース５の上部中央には、その開口５４を塞ぐようにパッキンを介して光透過性部材としての時計ガラス６が装着され、さらに、時計ケース５の上部外周にはベゼル７が配設されている。
また、時計ケース５の下面には、防水リング８を介して裏蓋９が取り付けられており、裏蓋９と時計計時部４との間には、緩衝部材１０が設けられている。
さらに、時計ケース５の外周部には、当該腕時計１００の各種機能の実行を指示するスイッチ５１が設けられている（図１参照）。
【００３５】
時計計時部４は、図３に示すように、視認側（図３における上側）に設けられ、アナログ指針機構４１及び液晶表示部４２を備える上部ハウジング４３と、視認側と反対側（図３における下側）に設けられた下部ハウジング４４と、無線モジュール１とを備えて構成されている。
【００３６】
下部ハウジング４４には、アナログ指針機構４１と液晶表示部４２等の当該腕時計１００の各部を動作させるための電池（図示略）が組み込まれている。また、下部ハウジング４４と上部ハウジング４３との間には、回路基板３が配置されている。即ち、回路基板３は、時計ケース５に時計ガラス６が取付けられている開口５４と反対となる開口５５側（奥側）に配設されている。
上部ハウジング４３の上面には、文字板４５が配置され、その文字板４５の上面に枠状部材４６が配置されている。
また、文字板４５、上部ハウジング４３、回路基板３及び下部ハウジング４４は、時計ケース５の中枠５２に取り付けられた構造となっている。
【００３７】
アナログ指針機構４１は、文字板４５に設けられた軸孔からその上方に延びる指針軸４１ａと、この指針軸４１ａに取り付けられた時針、分針などの指針４１ｂと、文字板４５の上方にて指針４１ｂを指針軸４１ａを中心として運針する運針機構部４１ｃとを備えて構成されている。
文字板４５と指針４１ｂには、それぞれ図示しない発光素子から照射された光を受光して発光する発光部４７が所定箇所に設けられている。
【００３８】
液晶表示部４２（表示部）は、図３に示すように、時計ケース５の開口５４に配設された時計ガラス６よりも時計ケース５の奥に配設され、且つ、回路基板３よりも時計ガラス６寄りに配設されている。また、液晶表示部４２は、例えば、上下一対の透明電極をそれぞれ有する光透過基板間に液晶を封入した液晶セルと、この液晶セルの上面及び下面に設けられた上偏光板及び下偏光板とを備えている。そして、液晶表示部４２は、液晶セルの一対の透明電極間に所定の電圧を印加し、その印加状態に応じて時刻などの各種情報をデジタル表示するように構成されている。
なお、液晶表示部４２に表示される各種情報は、文字板４５に設けられた窓部４５ａを介して視認可能となっている。
【００３９】
枠状部材４６は、例えば、合成樹脂で形成され、平面視略円形状をなす時計ケース５の内周面部に沿うように略環状に形成された部材である。また、枠状部材４６は、図３に示すように、文字板４５と時計ガラス６との間に配設されており、より具体的には、枠状部材４６の下端面を文字板４５の周縁部の上面に当接させるとともに、上端面を無線モジュール１のアンテナ１１が設けられてなる枠状部１４を介して時計ガラス６の下面にほぼ当接させるようにして、時計ケース５の内周面に装着されている。
【００４０】
次に、無線モジュール１について図４を参照して説明する。
ここで、図４（ａ）は、無線モジュール１の枠状部１４の視認側を示す平面図であり、図４（ｂ）は、図４（ａ）の無線モジュール１の裏側、即ち、枠状部１４の視認側と反対側を示す底面図である。
【００４１】
図４に示すように、無線モジュール１は、例えば、平面視略環状に形成されてなる枠状部１４と、この枠状部１４の外周の一端部から延出して形成されたリード部１５とを有するフレキシブル基板１６を備えている。
【００４２】
枠状部１４は、時計ケース５に時計ガラス６が取付けられている開口５４の内部形状に応じた形状に形成されている。即ち、枠状部１４は、その外周部が平面視略円形状をなす時計ケース５に時計ガラス６が取付けられている開口５４の内周面部に沿うような略環状に形成されている。そして、枠状部１４のほぼ全面には、その表裏面に亘って略渦巻き状にコイルが配線され、ゲート装置２００との間で情報の送受信を行うためのアンテナ１１が設けられている。
また、枠状部１４の内周部のうちのリード部１５と反対側となる部分には、当該枠状部１４の延在面にほぼ沿うように内側に延出してなる延出部１４１が形成されている。この延出部１４１の裏面側には、図４（ｂ）に示すように、アンテナ１１と電気的に接続されたＩＣチップ１３並びに所定数（図４（ｂ）には、３つ図示）のコンデンサ１２が配設されている。これにより、ＩＣチップ１３をアンテナ１１により近接して配設することができ、アンテナ受信信号へのノイズ混合を低減させることができる。
【００４３】
リード部１５は、図３に示すように、その枠状部１４側の端部が、時計ケース５の内周面部並びに枠状部材４６の外周面部にほぼ沿って（内部形状に応じて）枠状部１４に対し略直角となるように第一折曲部１５１にて時計ケース５の奥側に折り曲げられ、さらに、第一折曲部１５１よりも先端側が、枠状部１４と対向するように第二折曲部１５２にて時計ケース５の中心側に折り曲げられており、全体として断面略コ字状に形成されている。
また、リード部１５の第二折曲部１５２よりも先端側の裏面には、図４（ｂ）に示すように、ＩＣチップ１３と回路基板３とを電気的に接続するための接続端子１７が設けられ、この接続端子１７は、当該リード部１５に設けられた接続線１５ａを介してＩＣチップ１３と接続されている。
【００４４】
次に、上記構成の無線モジュール１の時計ケース５内への組み込みについて説明する。
先ず、図３に示すように、例えば、枠状部材４６、文字板４５、上部ハウジング４３、回路基板３及び下部ハウジング４４の外周側と、時計ケース５及び中枠５２の内周側との間には、フレキシブル基板１６のリード部１５の形状に応じて形成され、当該リード部１５を挿通させるためのリード部挿通部５３が設けられている。
また、下部ハウジング４４の回路基板３側となる上面側には、当該上面から所定の深さ座ぐられた座ぐり部４４ａが設けられており、この座ぐり部４４ａ内に、回路基板３の端子接続部（図示略）に接続端子１７を接続するために当該接続端子１７を下方から回路基板３側に押圧する抑え板１８を収容可能とっている。即ち、回路基板３の端子接続部と無線モジュール１の接続端子１７とは、座ぐり部４４ａ内に収容された抑え板１８により接続端子１７が下側から回路基板３側に押圧されることにより電気的に接続されるようになっている。なお、この際の押圧力は、抑え板１８の板厚や座ぐり部４４ａの深さによって調整可能となっている。
【００４５】
そして、上記構成の無線モジュール１は、時計ガラス６の下面に枠状部１４の上面の略全面を当接させて所定の接着剤等により接着させ、当該枠状部１４の下面のリード部１５側を枠状部材４６の上面部にて下側から支持するように枠状部１４を配置させるとともに、枠状部材４６の外周面部に沿って第一折曲部１５１にて折り曲げられたリード部１５をリード部挿通部５３に挿通させ、且つ、回路基板３の下面部に沿って第二折曲部１５２にて折り曲げるようにして時計ケース５内に配設されている。そして、座ぐり部４４ａ内に配設された抑え板１８により接続端子１７が回路基板３側に押圧されて端子接続部に電気的に接続された状態となっている。
【００４６】
以上のように、本実施形態の腕時計１００によれば、時計ケース５の内部であってより外面に近い開口５４の側に、アンテナ１１が配線された枠状部１４を配設することができ、当該枠状部１４の開口を介して時計ケース５の内部に配された液晶表示部４２を臨ませるように無線モジュール１のフレキシブル基板１６を配設することができる。これにより、文字板４５上の表示領域を十分に確保することができるとともに、ゲート装置２００との長い通信距離を確保することができる。さらに、無線モジュール１のリード部１５は、時計ケース５の内部形状に応じて時計ガラス６が取付けられている開口５４と反対となる開口５５側に第一折曲部１５１にて折り曲げ可能となっており、この第一折曲部１５１よりも先端側、より具体的には、第一折曲部１５１よりも先端側に位置する第二折曲部１５２よりもさらに先端側に接続端子１７が設けられているので、時計ケース５のより奥側に回路基板３を配設しても当該回路基板３と無線モジュール１との電気的接続を容易に行うことができる。
従って、時計ケース５内における回路基板３の配置の自由度を確保することができるとともに、時計ケース５に対する無線モジュール１の組み込みを容易に行うことができる。
また、時計ケース５の内部に無線モジュール１が配設されているので、腕時計１００の外部からのＩＣチップ１３の取り出しが困難となり、当該ＩＣチップ１３に記憶されている情報の第三者による不正取得を防止することができる。
【００４７】
［実施形態２］
以下に、実施形態２の腕時計３００について図５及び図６を参照して説明する。
ここで、図５は、本発明を適用した実施形態２の腕時計３００を示す平面図であり、図６は、図５のＶＩ−ＶＩ線における要部の拡大断面図である。
なお、実施形態２の腕時計３００は、無線モジュール３０１の構成以外の点では上記実施形態１と略同様であるので、同様の構成には同一の符号を付してその説明を省略する。
【００４８】
図５及び図６に示すように、本実施形態の腕時計３００に係る無線モジュール３０１は、フレキシブル基板３１６の枠状部３１４が略円環状に形成され、当該枠状部３１４から延出して形成されたリード部３１５の第二折曲部１５２よりも先端側にＩＣチップ１３が設けられている。
【００４９】
以下に、無線モジュール３０１について、図７を参照してより詳細に説明する。
ここで、図７（ａ）は、無線モジュール３０１の枠状部３１４の視認側を示す平面図であり、図７（ｂ）は、図７（ａ）の無線モジュール３０１の裏側、即ち、枠状部３１４の視認側と反対側を示す底面図である。
【００５０】
図７に示すように、枠状部３１４には、略円環状となるようにコイルが配線されることでアンテナ１１が設けられている。リード部３１５は、その第二折曲部１５２よりも先端側が上記実施形態１のリード部３１５に比べて長尺に形成されており、その裏面の接続端子１７よりも第二折曲部１５２側に、ＩＣチップ１３並びに所定数（図７（ｂ）には、３つ図示）のコンデンサ１２が配設されている。即ち、本実施形態にあっては、ＩＣチップ１３を実施形態１のように枠状部１４の延出部１４１に設ける場合に比べて時計ケース５のより奥側に配設することができる。
なお、ＩＣチップ１３並びにコンデンサ１２は、無線モジュール３０１が時計ケース５に組み込まれた状態で、下部ハウジング４４の座ぐり部４４ａ内に配置されるようになっている。
【００５１】
また、本実施形態の腕時計３００の所定位置には、無線モジュール３０１の識別コードＣが付与されている。即ち、例えば、図５に示すように、識別コードＣ（例えば、「ＡＢＣＤ  ＥＦＧＨ  １２３４」）は、時計ガラス６の下面（裏面）に付与されており、ユーザによるスイッチ５１の操作に基づいて発光素子から照射された特定波長光に応じて、当該ユーザにより視認可能となるように表される。
また、ユーザによるスイッチ５１の操作に基づいて、時計制御部２１による制御下にて、表示出力部２４が所定の識別コードＣに係る表示データを液晶表示部４２に出力して、液晶表示部４２に所定の識別コードＣを表示するような構成であっても良い。
【００５２】
以上のように、本実施形態の腕時計３００によれば、ＩＣチップ１３を時計ケース５のより奥側に配設することができるので、時計ケース５内からのＩＣチップ１３の取り出しが困難となり、当該ＩＣチップ１３に記憶されている情報の第三者による不正取得の防止を好適に図ることができる。
また、例えば、腕時計３００の修理に際して、各部が分解されても、識別コードＣによって、当該腕時計３００を構成する部材がバラバラになることなく関連付けられて腕時計３００の再組み立てを容易に行うことができる。
【００５３】
なお、無線モジュール３０１の形状並びに無線モジュール３０１の時計ケース５内における配置は、上記に説明したものに限られるものではない。
以下に、腕時計１００、３００の各変形例について図面を参照して説明する。
【００５４】
＜変形例１＞
図８は、変形例１の腕時計４００を示す平面図であり、図９は、図８のIＸ−IＸ線における要部の拡大断面図である。
図８及び図９に示すように、変形例１の腕時計４００は、時計ケース５内に配設された無線モジュール６０１のアンテナ１１が時計ガラス６を介して視認可能となっている。
【００５５】
即ち、腕時計４００には、枠状部材４４６、文字板４５、上部ハウジング４３及び回路基板３の当該腕時計４００における６時方向側の端部を上下に貫通するようにしてリード部挿通部４５３が形成されている。
より具体的には、枠状部材４４６には、その外周部側に、略環状に形成され、時計ガラス６の下面に当接して当該時計ガラス６を下側から支持するガラス支持面部４６ａと、時計ガラス６の下面から所定の距離離間させるように、ガラス支持面部４６ａの内側の端部に連続する内周面部の所定位置から時計ガラス６の中心側に向かって当該時計ガラス６と略平行に、且つ、全周に亘って略同じ幅を有する環状平面部４６ｂとが設けられている。
そして、枠状部材４６には、ガラス支持面部４６ａと環状平面部４６ｂとの境界部分の当該腕時計４００における６時方向側の部分に貫通孔が形成されている。この貫通孔と上下にほぼ重なるようにして、文字板４５、上部ハウジング４３及び回路基板３のそれぞれにも貫通孔が形成されており、これら貫通孔によってリード部挿通部４５３が構成され、このリード部挿通部４５３にフレキシブル基板４１６のリード部４１５が挿通されている。
【００５６】
そして、フレキシブル基板４１６の枠状部４１４は、その下面のほぼ全面を環状平面部４６ｂの上面にほぼ当接させるようにして配設されている。
【００５７】
従って、この変形例１の腕時計４００によれば、時計ガラス６を介して枠状部４１４に配線されたアンテナ１１をユーザ等に視認させることができるので、機能的デザインにより腕時計４００を意匠性に優れたものとすることができ、当該腕時計４００の商品価値をより向上させることができる。
【００５８】
＜変形例２＞
図１０は、変形例２の腕時計５００の要部の拡大断面図である。
なお、変形例２の腕時計５００は、無線モジュール５０１のフレキシブル基板５１６及び枠状部材５４６以外の点では上記変形例１と同様であるので、同様の構成には変形例１と同一の符号を付してその説明を省略する。
【００５９】
図１０に示すように、変形例２の腕時計５００に備わる無線モジュール５０１は、その枠状部５１４の下面を文字板４５の上面にほぼ当接させるようにして、時計ケース５内に配設されている。
即ち、枠状部材５４６の底面部には、その内側（中心側）の端部からリード部挿通部５５３を構成する文字板４５の貫通孔に対向する部分にかけて当該文字板４５と略平行となるように、全周に亘って、フレキシブル基板５１６の枠状部１４の厚さに応じて所定の高さ分切り欠かれて形成された枠状部配置部４６ｃが設けられている。そして、枠状部配置部４６ｃに、下面を文字板４５の上面にほぼ当接させて枠状部５１４を配置し、リード部挿通部５５３にリード部５１５を挿通させるようにして、無線モジュール５０１が時計ケース５内に配設されている。
【００６０】
従って、この変形例２の腕時計５００によれば、フレキシブル基板５１６が枠状部材５４６の底面部の形状に応じて第一折曲部１５１にて折り曲げ可能となっており、上記変形例１の腕時計５００に比べて、時計ケース５内に無線モジュール５０１を配設する上での枠状部材４６の加工量を少なくすることができる。従って、時計ケース５内に対する無線モジュール５０１の配設をより容易に行うことができ、当該無線モジュール５０１と腕時計５００の奥側に配設された回路基板３との電気的接続をより容易に行うことができる。
【００６１】
＜変形例３＞
図１１は、変形例３の腕時計６００を要部の拡大断面図であり、図１２は、図１１の腕時計６００に備わる無線モジュール６０１を示す斜視図である。
なお、変形例３の腕時計６００は、無線モジュール６０１のフレキシブル基板６１６の形状以外の点では上記変形例２と同様であるので、同様の構成には変形例２と同一の符号を付してその説明を省略する。
【００６２】
図１１に示すように、変形例３の腕時計６００に備わる無線モジュール６０１は、そのフレキシブル基板６１６の枠状部６１４が枠状部材５４６の内周面に沿うように配設されている。
即ち、枠状部材５４６には、枠状部配置部４６ｃの内側の端部から当該枠状部配置部４６ｃの底面に対して略垂直に形成された垂直面部４６ｄが設けられている。そして、無線モジュール６０１の枠状部６１４には、上面が枠状部配置部４６ｃの底面にほぼ沿うような形状に形成された外周部１４ｂと、枠状部材５４６の垂直面部４６ｄに沿うように、外周部１４ｂの内縁部から当該外周部１４ｂに対して略垂直に起立して形成された垂直周面部１４ａが設けられている（図１２参照）。
この垂直周面部１４ａの内周面に亘ってコイルが配線されることでアンテナ６１１が形成されている。
【００６３】
従って、この変形例３の腕時計６００によれば、アンテナ６１１を時計ケース５に時計ガラス６が取付けられている開口５４に配設することができ、ゲート装置２００とのより長い通信距離を確保することができる。また、文字板４５のユーザにより視認可能な領域に枠状部６１４のアンテナ６１１を配設しないので、アンテナ６１１によって文字板４５の時字指標等の各種情報を表示する領域が制限されることがなくなり、当該腕時計６００の商品価値をより向上させることができる。
【００６４】
なお、本発明に係る腕時計１００、３００、４００、５００、６００にあっては、ＲＦ−ＩＤシステムの利用に係る無線モジュール１、３０１、４０１、５０１、６０１並びに腕時計１００等の仕様や利用の際の注意事項等の共通情報Ｄを当該腕時計１００の所定位置に表記しても良い。即ち、具体的には、共通情報Ｄを当該腕時計１００のデザインを損なわない位置、例えば、裏蓋９の裏面側や（図１３参照）、バンド部材Ｂの裏面側（図１４参照）に表記しても良い。
これにより、ユーザは、腕時計１００の所定位置に表記された共通情報Ｄに従って、ＲＦ−ＩＤシステムの利用を好適に行うことができ、腕時計１００の商品価値をより向上させることができる。さらに、当該腕時計１００の修理に際して、各部が分解されても、共通情報Ｄや識別コードＣによって、一腕時計１００を構成する部材がバラバラになることなく関連付けられて当該腕時計１００の再組み立てを容易に行うことができる。
【００６５】
なお、本発明は、上記実施形態に限定されることなく、本発明の趣旨を逸脱しない範囲において、種々の改良並びに設計の変更を行っても良い。
例えば、無線モジュール１、３０１、４０１、５０１、６０１のリード部１５、３１５、４１５、５１５は、腕時計１００、３００、４００、５００、６００並びに時計ケース５の内部形状に応じて当該時計ケース５に時計ガラス６が取付けられている開口５４と反対となる開口５５側に所定の折曲部にて折り曲げ可能な構成であれば如何なる形状であっても良い。
また、上記実施の形態では、枠状部１４、３１４、４１４、５１４、６１４として外形が略環状に形成されたものを例示したが、これに限られるものではなく、時計ケース５に時計ガラス６が取付けられている開口５４の内部形状に応じた形状に形成されたものであれば如何なるものであっても良い。
また、上記実施形態では、電子機器として腕時計１００を例示したが、これに限られるものではなく、無線モジュール１を組み込み可能な電子機器であれば如何なるものであっても良い。
【図面の簡単な説明】
【００６６】
【図１】本発明を適用した実施形態１の電子機器として例示する腕時計を示す平面図である。
【図２】図１の腕時計及びゲート装置の要部構成を示すブロック図である。
【図３】図１のIII−III線における要部の拡大断面図である。
【図４】図１の腕時計に備わる無線モジュールを示す平面図（ａ）及び底面図（ｂ）である。
【図５】本発明を適用した実施形態２の電子機器として例示する腕時計を示す平面図である。
【図６】図５のＶＩ−ＶＩ線における要部の拡大断面図である。
【図７】図５の腕時計に備わる無線モジュールを示す平面図（ａ）及び底面図（ｂ）である。
【図８】変形例１の腕時計を示す平面図である。
【図９】図８のIＸ−IＸ線における要部の拡大断面図である。
【図１０】変形例２の腕時計の要部の拡大断面図である。
【図１１】変形例３の腕時計を要部の拡大断面図である。
【図１２】図１１の腕時計に備わる無線モジュールを示す斜視図である。
【図１３】腕時計の裏面側の要部を拡大して示す図である。
【図１４】腕時計を示す底面図である。
【符号の説明】
【００６７】
１００、３００、４００、５００、６００  腕時計（電子機器）
１、３０１、４０１、５０１、６０１  無線モジュール
１１、６１１  アンテナ
１３    ＩＣチップ（集積回路）
１４、３１４、４１４、５１４、６１４  枠状部
１４ａ  外周部
１４ｂ  垂直周面部
１４１  延出部
１５、３１５、４１５、５１５  リード部
１５１  第一折曲部（折曲部）
１５２  第二折曲部（折曲部）
１６、３１６、４１６、５１６、６１６  フレキシブル基板
１７    接続端子
３      回路基板
４２    液晶表示部（表示部）
４６、４４６、５４６  枠状部材
５      時計ケース（機器ケース）
５４    開口
６      時計ガラス（光透過性部材）
２００  ゲート装置（外部通信機器）
【図１】
0004649879.tif 000002
【図２】
0004649879.tif 000003
【図３】
0004649879.tif 000004
【図４】
0004649879.tif 000005
【図５】
0004649879.tif 000006
【図６】
0004649879.tif 000007
【図７】
0004649879.tif 000008
【図８】
0004649879.tif 000009
【図９】
0004649879.tif 000010
【図１０】
0004649879.tif 000011
【図１１】
0004649879.tif 000012
【図１２】
0004649879.tif 000013
【図１３】
0004649879.tif 000014
【図１４】
0004649879.tif 000015